(57)【要約】【課題】不要な映像信号が他の信号に混入するクロストークが発生するのを抑制することが可能な映像表示装置を提供する。【解決手段】この液晶テレビジョン１０（映像表示装置）は、プラズマテレビジョン２０およびＳＴＢ３０と電気的に接続するための第１ＳＣＡＲＴ端子１７および第２ＳＣＡＲＴ端子１８と、プラズマテレビジョン２０およびＳＴＢ３０の種類を判別するための機器判別信号をプラズマテレビジョン２０およびＳＴＢ３０にそれぞれ出力するとともに、テレビジョン放送信号をプラズマテレビジョン２０およびＳＴＢ３０に出力する要否を判別して、テレビジョン放送信号の出力が必要であると判別されたプラズマテレビジョン２０にテレビジョン放送信号を出力するとともに、テレビジョン放送信号の出力が必要でないと判別されたＳＴＢ３０にテレビジョン放送信号を出力しないように制御する制御部１１とを備える。【選択図】図８
2010258939.tif 000002
【特許請求の範囲】
【請求項１】
外部機器と電気的に接続するためのＳＣＡＲＴ端子と、
前記ＳＣＡＲＴ端子と接続された前記外部機器の種類を判別するための機器判別信号を前記ＳＣＡＲＴ端子を介して前記外部機器に出力するとともに、判別された前記外部機器の種類に基づいて、前記ＳＣＡＲＴ端子を介して映像信号を前記外部機器に出力する要否を判別して、前記映像信号の出力が必要であると判別された前記外部機器に前記映像信号を出力するとともに、前記映像信号の出力が必要でないと判別された前記外部機器に前記映像信号を出力しないように制御する制御部とを備える、映像表示装置。
【請求項２】
１つの前記ＳＣＡＲＴ端子に複数の前記外部機器が接続されており、
前記制御部は、前記１つのＳＣＡＲＴ端子に接続されている前記複数の外部機器のうち、少なくとも１つの前記外部機器が前記映像信号の出力を必要とする場合、前記１つのＳＣＡＲＴ端子を介して前記映像信号を出力するように構成されている、請求項１に記載の映像表示装置。
【請求項３】
前記ＳＣＡＲＴ端子と接続される前記外部機器の種類と、前記機器判別信号に含まれる前記外部機器の種類に基づくアドレス情報と、前記外部機器の種類に基づく前記映像信号の出力の要否とが対応付けられた状態で記憶された記憶部をさらに備える、請求項１または２に記載の映像表示装置。
【請求項４】
前記制御部は、前記ＳＣＡＲＴ端子を介して前記機器判別信号を前記外部機器に出力した後、前記外部機器から出力された応答信号が入力されたか否かを判別することによって、前記外部機器の種類を判別するように構成されている、請求項１〜３のいずれか１項に記載の映像表示装置。
【請求項５】
前記制御部は、前記ＳＣＡＲＴ端子を介して前記機器判別信号を前記外部機器に出力した後、前記外部機器から前記応答信号が入力されない場合、前記ＳＣＡＲＴ端子を介して前記外部機器に前記映像信号を出力するように構成されている、請求項４に記載の映像表示装置。
【請求項６】
前記制御部は、映像表示装置本体がＳＣＡＲＴ端子入出力モードに切り替わった際に、前記ＳＣＡＲＴ端子を介して前記機器判別信号を前記外部機器に出力するとともに、判別された前記外部機器の種類に基づいて、前記ＳＣＡＲＴ端子を介して前記映像信号を前記外部機器に出力する要否を判別して、前記映像信号の出力が必要であると判別された前記外部機器に前記映像信号を出力するとともに、前記映像信号の出力が必要でないと判別された前記外部機器に前記映像信号を出力しないように構成されている、請求項１〜５のいずれか１項に記載の映像表示装置。
【請求項７】
テレビジョン放送信号を受信するためのテレビジョン放送受信部と、
外部機器と電気的に接続するためのＳＣＡＲＴ端子と、
前記ＳＣＡＲＴ端子と接続された前記外部機器の種類を判別するための機器判別信号を前記ＳＣＡＲＴ端子を介して前記外部機器に出力するとともに、判別された前記外部機器の種類に基づいて、前記ＳＣＡＲＴ端子を介して前記テレビジョン放送信号を前記外部機器に出力する要否を判別して、前記テレビジョン放送信号の出力が必要であると判別された前記外部機器に前記テレビジョン放送信号を出力するとともに、前記テレビジョン放送信号の出力が必要でないと判別された前記外部機器に前記テレビジョン放送信号を出力しないように制御する制御部とを備える、テレビジョン装置。
【請求項８】
外部機器と、
前記外部機器と電気的に接続するためのＳＣＡＲＴ端子と、前記ＳＣＡＲＴ端子と接続された前記外部機器の種類を判別するための機器判別信号を前記ＳＣＡＲＴ端子を介して前記外部機器に出力するとともに、判別された前記外部機器の種類に基づいて、前記ＳＣＡＲＴ端子を介して映像信号を前記外部機器に出力する要否を判別して、前記映像信号の出力が必要であると判別された前記外部機器に前記映像信号を出力するとともに、前記映像信号の出力が必要でないと判別された前記外部機器に前記映像信号を出力しないように制御する制御部とを含む映像表示装置とを備える、映像表示システム。
【発明の詳細な説明】
【技術分野】
【０００１】
この発明は、映像表示装置、テレビジョン装置および映像表示システムに関し、特に、外部機器と電気的に接続するための端子を含む映像表示装置、テレビジョン装置および映像表示システムに関する。
【背景技術】
【０００２】
従来、外部機器と電気的に接続するための端子を含む映像表示装置、テレビジョン装置および映像表示システムなどが知られている（たとえば、特許文献１〜４参照）。
【０００３】
上記特許文献１では、家庭内システムバスに接続された複数のテレビジョンセット（ＴＶ）および複数のビデオカセットレコーダ（ＶＣＲ）（外部機器）と、家庭内システムバスに接続され、ＴＶおよびＶＣＲを制御可能な中央制御装置（映像表示装置）とを備えた家庭用システムネットワーク内のＳＣＡＲＴ形接続の検出方法が開示されている。この特許文献１に記載のＳＣＡＲＴ形接続の検出方法では、中央制御装置は、ＶＣＲを再生させる際に、再生させたＶＣＲとＳＣＡＲＴ形接続されているＴＶの電源が投入される機能を利用して、複数のＶＣＲのそれぞれにおける複数のＴＶとのＳＣＡＲＴ形接続の状態を認識するように構成されている。なお、上記特許文献１には明記されていないものの、ＳＣＡＲＴ形接続の状態が認識された機器同士では、互いに映像信号が入出力されるように構成されていると考えられる。
【０００４】
また、上記特許文献２では、４つのＡＶ端子を有するテレビジョン受像機のＡＶセンタ（映像表示装置）と、複数のビデオテープレコーダ（ＶＴＲ）（外部機器）とがバスによって互いに接続されている電子機器制御方法が開示されている。この特許文献２に記載の電子機器制御方法では、複数のＶＴＲは、それぞれ異なる機器アドレスを自己の機器アドレスとして設定するように構成されている。そして、テレビジョン受像機のＡＶセンタは、バスを介して接続されている複数のＶＴＲに対して、機器アドレスを４つのＡＶ端子からそれぞれ出力し、複数のＶＴＲからの応答の有無を判別することによって、複数のＶＴＲが４つのＡＶ端子のいずれに接続されているかを認識するように構成されている。なお、上記特許文献２には明記されていないものの、バスによって互いに接続されたと認識されているＶＴＲとテレビジョン受像機とは、互いに映像信号が入出力されるように構成されていると考えられる。
【０００５】
また、上記特許文献３では、ＳＣＡＲＴコネクタ（ＳＣＡＲＴ端子）をそれぞれ含み、ＳＣＡＲＴコネクタの第１０ピンが直列に接続された複数の機器に関する通信システムのコンフィギュレーション方法が開示されている。この特許文献３に記載の通信システムのコンフィギュレーション方法では、隣り合う機器同士においては接続されているＳＣＡＲＴコネクタの第８ピンを用いることによって、隣り合う機器の種類をそれぞれ識別するように構成されている。なお、上記特許文献３には明記されていないものの、機器の種類が識別された状態でＳＣＡＲＴコネクタを介して互いに接続されている機器同士では、互いに映像信号が入出力されるように構成されていると考えられる。
【０００６】
また、上記特許文献４では、テレビジョン受信機とデコーダとの間に配置され、それぞれとＳＣＡＲＴケーブルを介して接続され、デコーダの入出力をテレビジョン受信機に検知させることが可能なＤＶＤレコーダが開示されている。なお、上記特許文献４には明記されていないものの、ＳＣＡＲＴケーブルによって互いに接続されているＤＶＤレコーダとデコーダとは、互いに映像信号が入出力されるように構成されていると考えられる。
【先行技術文献】
【特許文献】
【０００７】
【特許文献１】特開平８−２３７２７６号公報
【特許文献２】特開平７−１６２７６８号公報
【特許文献３】特開平１０−１３４４４号公報
【特許文献４】特開２００８−１４７８３４号公報
【発明の概要】
【発明が解決しようとする課題】
【０００８】
しかしながら、上記特許文献１による家庭用システムネットワーク内のＳＣＡＲＴ形接続の検出方法では、ＳＣＡＲＴ形接続の状態が認識された機器同士では、互いに映像信号が入出力されるように構成されていると考えられるため、たとえば、ＤＶＤプレーヤとＴＶとがＳＣＡＲＴ形接続されている場合には、ＴＶがＤＶＤプレーヤに不要な映像信号を出力している場合があると考えられる。この場合、ＤＶＤプレーヤにとって不要な映像信号が他の信号に混入するクロストークが発生する場合があるという問題点があると考えられる。
【０００９】
また、上記特許文献２による電子機器制御方法では、バスによって互いに接続されたと認識されているＶＴＲとテレビジョン受像機とは、互いに映像信号が入出力されるように構成されていると考えられるため、たとえば、ＤＶＤプレーヤとテレビジョン受像機とがバスによって互いに接続されている場合には、テレビジョン受像機のＡＶセンタがＤＶＤプレーヤに不要な映像信号を出力している場合があると考えられる。この場合、ＤＶＤプレーヤにとって不要な映像信号が他の信号に混入するクロストークが発生する場合があるという問題点があると考えられる。
【００１０】
また、上記特許文献３による通信システムのコンフィギュレーション方法では、機器の種類が識別された状態でＳＣＡＲＴコネクタを介して互いに接続されている機器同士では、互いに映像信号が入出力されるように構成されていると考えられるため、たとえば、ＤＶＤプレーヤとＴＶとがＳＣＡＲＴコネクタを介して互いに接続されている場合には、ＴＶがＤＶＤプレーヤに不要な映像信号を出力している場合があると考えられる。この場合、ＤＶＤプレーヤにとって不要な映像信号が他の信号に混入するクロストークが発生する場合があるという問題点があると考えられる。
【００１１】
また、上記特許文献４では、ＳＣＡＲＴケーブルによって互いに接続されているＤＶＤレコーダとデコーダとは、互いに映像信号が入出力されるように構成されていると考えられるため、ＤＶＤレコーダがデコーダに不要な映像信号を出力している場合があると考えられる。この場合、デコーダにとって不要な映像信号が他の信号に混入するクロストークが発生する場合があるという問題点があると考えられる。
【００１２】
この発明は、上記のような課題を解決するためになされたものであり、この発明の１つの目的は、不要な映像信号が他の信号に混入するクロストークが発生するのを抑制することが可能な映像表示装置、テレビジョン装置および映像表示システムを提供することである。
【課題を解決するための手段および発明の効果】
【００１３】
この発明の第１の局面による映像表示装置は、外部機器と電気的に接続するためのＳＣＡＲＴ端子と、ＳＣＡＲＴ端子と接続された外部機器の種類を判別するための機器判別信号をＳＣＡＲＴ端子を介して外部機器に出力するとともに、判別された外部機器の種類に基づいて、ＳＣＡＲＴ端子を介して映像信号を外部機器に出力する要否を判別して、映像信号の出力が必要であると判別された外部機器に映像信号を出力するとともに、映像信号の出力が必要でないと判別された外部機器に映像信号を出力しないように制御する制御部とを備える。
【００１４】
この発明の第１の局面による映像表示装置では、上記のように、映像信号の出力が必要であると判別された外部機器に映像信号を出力するとともに、映像信号の出力が必要でないと判別された外部機器に映像信号を出力しないように制御する制御部を備えることによって、映像信号の出力が必要でないと判別された外部機器に対しては映像信号が出力されないようにすることができるので、不要な映像信号が他の信号に混入するクロストークが発生するのを抑制することができる。
【００１５】
上記第１の局面による映像表示装置において、好ましくは、１つのＳＣＡＲＴ端子に複数の外部機器が接続されており、制御部は、１つのＳＣＡＲＴ端子に接続されている複数の外部機器のうち、少なくとも１つの外部機器が映像信号の出力を必要とする場合、１つのＳＣＡＲＴ端子を介して映像信号を出力するように構成されている。このように構成すれば、１つのＳＣＡＲＴ端子に接続されている複数の外部機器のうち、１つでも映像信号の出力を必要とする外部機器がＳＣＡＲＴ端子に接続されている場合に制御部に映像信号を出力させることによって、映像信号の出力を必要とする外部機器に映像信号が入力されなくなるのを防止することができる。
【００１６】
上記第１の局面による映像表示装置において、好ましくは、ＳＣＡＲＴ端子と接続される外部機器の種類と、機器判別信号に含まれる外部機器の種類に基づくアドレス情報と、外部機器の種類に基づく映像信号の出力の要否とが対応付けられた状態で記憶された記憶部をさらに備える。このように構成すれば、ＳＣＡＲＴ端子と接続された外部機器の種類と、記憶部に記憶された外部機器の種類に基づく映像信号の出力の要否とが対応付けられていることによって、制御部により、容易に、ＳＣＡＲＴ端子と接続された外部機器に映像信号を出力する要否を判別することができる。
【００１７】
上記第１の局面による映像表示装置において、好ましくは、制御部は、ＳＣＡＲＴ端子を介して機器判別信号を外部機器に出力した後、外部機器から出力された応答信号が入力されたか否かを判別することによって、外部機器の種類を判別するように構成されている。このように構成すれば、制御部により、容易に、ＳＣＡＲＴ端子と接続された外部機器の種類を判別することができる。
【００１８】
この場合、好ましくは、制御部は、ＳＣＡＲＴ端子を介して機器判別信号を外部機器に出力した後、外部機器から応答信号が入力されない場合、ＳＣＡＲＴ端子を介して外部機器に映像信号を出力するように構成されている。このように構成すれば、機器判別信号に反応しない外部機器が接続されていることにより、ＳＣＡＲＴ端子に外部機器から応答信号が入力されない場合においても、制御部に映像信号を出力させることができるので、機器判別信号に反応しない外部機器が映像信号の出力を必要とする外部機器であったとしても、機器判別信号に反応しない外部機器に映像信号が入力されなくなるのを防止することができる。
【００１９】
上記第１の局面による映像表示装置において、好ましくは、制御部は、映像表示装置本体がＳＣＡＲＴ端子入出力モードに切り替わった際に、ＳＣＡＲＴ端子を介して機器判別信号を外部機器に出力するとともに、判別された外部機器の種類に基づいて、ＳＣＡＲＴ端子を介して映像信号を外部機器に出力する要否を判別して、映像信号の出力が必要であると判別された外部機器に映像信号を出力するとともに、映像信号の出力が必要でないと判別された外部機器に映像信号を出力しないように構成されている。このように構成すれば、ＳＣＡＲＴ端子入出力モードに切り替わるごとに、ＳＣＡＲＴ端子に接続された外部機器の種類と、ＳＣＡＲＴ端子を介して映像信号を外部機器に出力する要否とが自動的に判別されるので、ＳＣＡＲＴ端子入出力モードが用いられる際に、常に、現状に即した外部機器との接続状態に基づいて、制御部に映像信号の出力が必要であると判別された外部機器に映像信号を出力させるとともに、映像信号の出力が必要でないと判別された外部機器に映像信号を出力させないように構成することができる。
【００２０】
この発明の第２の局面におけるテレビジョン装置は、テレビジョン放送信号を受信するためのテレビジョン放送受信部と、外部機器と電気的に接続するためのＳＣＡＲＴ端子と、ＳＣＡＲＴ端子と接続された外部機器の種類を判別するための機器判別信号をＳＣＡＲＴ端子を介して外部機器に出力するとともに、判別された外部機器の種類に基づいて、ＳＣＡＲＴ端子を介してテレビジョン放送信号を外部機器に出力する要否を判別して、テレビジョン放送信号の出力が必要であると判別された外部機器にテレビジョン放送信号を出力するとともに、テレビジョン放送信号の出力が必要でないと判別された外部機器にテレビジョン放送信号を出力しないように制御する制御部とを備える。
【００２１】
この発明の第２の局面におけるテレビジョン装置では、上記のように、テレビジョン放送信号の出力が必要であると判別された外部機器にテレビジョン放送信号を出力するとともに、テレビジョン放送信号の出力が必要でないと判別された外部機器にテレビジョン放送信号を出力しないように制御する制御部を備えることによって、テレビジョン放送信号の出力が必要でないと判別された外部機器に対してはテレビジョン放送信号が出力されないようにすることができるので、不要なテレビジョン放送信号が他の信号に混入するクロストークが発生するのを抑制することができる。
【００２２】
この発明の第３の局面における映像表示システムは、外部機器と、外部機器と電気的に接続するためのＳＣＡＲＴ端子と、ＳＣＡＲＴ端子と接続された外部機器の種類を判別するための機器判別信号をＳＣＡＲＴ端子を介して外部機器に出力するとともに、判別された外部機器の種類に基づいて、ＳＣＡＲＴ端子を介して映像信号を外部機器に出力する要否を判別して、映像信号の出力が必要であると判別された外部機器に映像信号を出力するとともに、映像信号の出力が必要でないと判別された外部機器に映像信号を出力しないように制御する制御部とを含む映像表示装置とを備える。
【００２３】
この発明の第３の局面における映像表示システムでは、上記のように、映像表示装置が、映像信号の出力が必要であると判別された外部機器に映像信号を出力するとともに、映像信号の出力が必要でないと判別された外部機器に映像信号を出力しないように制御する制御部を含むことによって、映像信号の出力が必要でないと判別された外部機器に対しては映像信号が出力されないようにすることができるので、不要な映像信号が他の信号に混入するクロストークが発生するのを抑制することができる。
【図面の簡単な説明】
【００２４】
【図１】本発明の第１実施形態による映像表示システムの全体構成を示した図である。
【図２】図１に示した第１実施形態による映像表示システムの構成を示したブロック図である。
【図３】図１に示した第１実施形態による映像表示システムの外部機器とアドレス情報とテレビジョン放送信号の出力の要否との対応付けを示した図である。
【図４】図１に示した第１実施形態による映像表示システムの機器判別信号の構成を示した図である。
【図５】図１に示した第１実施形態による映像表示システムの応答信号の構成を示した図である。
【図６】図１に示した第１実施形態による映像表示システムの液晶テレビジョンの外部機器接続認識時の制御動作を示したフローチャートである。
【図７】図１に示した第１実施形態による映像表示システムの外部機器の外部機器接続認識時の制御動作を示したフローチャートである。
【図８】図１に示した第１実施形態による映像表示システムの液晶テレビジョンのテレビジョン放送信号出力の制御動作を示したフローチャートである。
【図９】本発明の第２実施形態による映像表示システムの全体構成を示した図である。
【図１０】図９に示した第２実施形態による映像表示システムの構成を示したブロック図である。
【図１１】図９に示した第２実施形態による映像表示システムの液晶テレビジョンのテレビジョン放送信号出力の制御動作を示したフローチャートである。
【発明を実施するための形態】
【００２５】
以下、本発明を具体化した実施形態を図面に基づいて説明する。
【００２６】
（第１実施形態）
まず、図１〜図５を参照して、第１実施形態による映像表示システム１の構成を説明する。
【００２７】
本発明の第１実施形態による映像表示システム１は、図１に示すように、液晶テレビジョン１０と、プラズマテレビジョン２０と、セットトップボックス（ＳＴＢ）３０と、ユーザ（図示せず）による操作信号を液晶テレビジョン１０に送信するためのリモートコントローラ４０とから構成されている。また、液晶テレビジョン１０とプラズマテレビジョン２０とは、ＳＣＡＲＴケーブル５０ａによって電気的に接続されているとともに、液晶テレビジョン１０とＳＴＢ３０とは、ＳＣＡＲＴケーブル５０ｂによって電気的に接続されている。また、ＳＣＡＲＴケーブル５０ａおよび５０ｂは、それぞれ、２１本の図示しない信号線が束ねられることによって形成されている。なお、液晶テレビジョン１０は、本発明の「映像表示装置」および「テレビジョン装置」の一例であり、プラズマテレビジョン２０およびＳＴＢ３０は、それぞれ、本発明の「外部機器」の一例である。
【００２８】
また、液晶テレビジョン１０は、図２に示すように、制御部１１と、記憶部１２と、映像を表示可能な表示画面部１３と、テレビジョン放送を受信するためのテレビジョン放送受信部１４と、音声を出力するためのスピーカ１５と、リモートコントローラ４０からの操作信号を受信するための受信部１６とを含む。また、記憶部１２には、制御部１１において用いられるプログラムなどが記憶されている。また、液晶テレビジョン１０は、表示モードとして、テレビジョン放送モードと、ビデオモードと、衛星放送モードと、ＳＣＡＲＴモードとに設定可能なように構成されている。また、ユーザ（図示せず）によるリモートコントローラ４０の操作に応じて、液晶テレビジョン１０の表示モードは、テレビジョン放送モード、ビデオモード、衛星放送モードおよびＳＣＡＲＴモードを、切り替え可能なように構成されている。なお、ＳＣＡＲＴモードは、本発明の「ＳＣＡＲＴ端子入出力モード」の一例である。
【００２９】
また、テレビジョン放送モードでは、テレビジョン放送受信部１４において受信した映像および音声が、それぞれ、制御部１１によって表示画面部１３およびスピーカ１５に出力されるように構成されている。また、ビデオモードでは、図示しないビデオプレーヤなどの機器から入力された映像および音声が、それぞれ、制御部１１によって表示画面部１３およびスピーカ１５に出力されるように構成されている。また、衛星放送モードでは、ＳＴＢ３０において受信した映像および音声が、それぞれ、制御部１１によって表示画面部１３およびスピーカ１５に出力されるように構成されている。また、ＳＣＡＲＴモードでは、ＳＣＡＲＴ端子およびＳＣＡＲＴケーブルを介して接続された機器において、互いに双方向の制御が可能であるとともに、互いに映像信号の入出力が可能であるように構成されている。
【００３０】
また、第１実施形態では、記憶部１２には、図３に示すように、ＳＣＡＲＴ端子と接続される外部機器の種類と、外部機器の種類に基づくアドレス情報と、外部機器の種類に基づくテレビジョン放送信号の出力の要否とが対応付けられた状態で、ｎ個テーブル形式で記憶されている。具体的には、記憶部１２において、「０」というアドレス情報が割り当てられているテレビジョンは、テレビジョン放送信号の出力が必要であると記憶されているとともに、「１」というアドレス情報が割り当てられているプレーヤは、テレビジョン放送信号の出力が必要でないと記憶されている。また、記憶部１２において、「２」というアドレス情報が割り当てられているレコーダは、テレビジョン放送信号の出力が必要であると記憶されているとともに、「３」というアドレス情報が割り当てられたＳＴＢは、テレビジョン放送信号の出力が必要でないと記憶されている。このようにして、記憶部１２において、ｎ個すべてのアドレス情報に、外部機器の種類とテレビジョン放送信号の出力の要否とが対応付けられた状態で記憶されている。なお、テレビジョン放送信号は、本発明の「映像信号」の一例である。
【００３１】
なお、第１実施形態において、プラズマテレビジョン２０はテレビジョンの種類に含まれるので、プラズマテレビジョン２０のアドレス情報は「０」になり、制御部１１によってテレビジョン放送信号の出力が必要であると判別されるように構成されている。また、ＳＴＢ３０のアドレス情報は「３」になり、制御部１１によってテレビジョン放送信号の出力が必要でないと判別されるように構成されている。
【００３２】
また、プラズマテレビジョン２０は、図２に示すように、制御部２１と、記憶部２２と、映像を表示可能な表示画面部２３と、テレビジョン放送を受信するためのテレビジョン放送受信部２４と、音声を出力するためのスピーカ２５とを含む。また、記憶部２２には、制御部２１において用いられるプログラムなどが記憶されているとともに、ＳＣＡＲＴ端子と接続される機器の種類と、機器の種類に基づくアドレス情報とが対応付けられた状態で、ｎ個テーブル形式で記憶されている。すなわち、記憶部２２には、液晶テレビジョン１０のアドレス情報が「０」である点と、プラズマテレビジョン２０自身のアドレス情報が「０」である点とが記憶されている。
【００３３】
また、ＳＴＢ３０は、制御部３１と、記憶部３２と、衛星放送を受信するための衛星放送受信部３３とを含む。また、記憶部３２には、制御部３１において用いられるプログラムなどが記憶されているとともに、ＳＣＡＲＴ端子と接続される機器の種類と、機器の種類に基づくアドレス情報とが対応付けられた状態で、ｎ個テーブル形式で記憶されている。すなわち、記憶部３２には、液晶テレビジョン１０のアドレス情報が「０」である点と、ＳＴＢ３０自身のアドレス情報が「３」である点とが記憶されている。
【００３４】
ここで、第１実施形態では、液晶テレビジョン１０には、第１ＳＣＡＲＴ端子１７と第２ＳＣＡＲＴ端子１８とが設けられている。また、プラズマテレビジョン２０には、ＳＣＡＲＴ端子２６が設けられているとともに、ＳＴＢ３０には、ＳＣＡＲＴ端子３４が設けられている。また、第１ＳＣＡＲＴ端子１７、第２ＳＣＡＲＴ端子１８、ＳＣＡＲＴ端子２６および３４は、それぞれ、２１個のピン（図示せず）を有する。そして、第１ＳＣＡＲＴ端子１７の２１個のピンとＳＣＡＲＴ端子２６の２１個のピンとは、それぞれ、ＳＣＡＲＴケーブル５０ａの２１本の図示しない信号線にそれぞれ独立した状態で接続されるように構成されている。また、第２ＳＣＡＲＴ端子１８の２１個のピンとＳＣＡＲＴ端子３４の２１個のピンとは、それぞれ、ＳＣＡＲＴケーブル５０ｂの図示しない２１本の信号線にそれぞれ独立した状態で接続されるように構成されている。なお、第１ＳＣＡＲＴ端子１７および第２ＳＣＡＲＴ端子１８は、それぞれ、本発明の「ＳＣＡＲＴ端子」の一例である。
【００３５】
また、第１ＳＣＡＲＴ端子１７の第１０ピン、第１９ピンおよび第２０ピンは、それぞれ、ＳＣＡＲＴ端子２６の第１０ピン、第２０ピンおよび第１９ピンとＳＣＡＲＴケーブル５０ａによって接続されている。また、第２ＳＣＡＲＴ端子１８の第１０ピン、第１９ピンおよび第２０ピンは、それぞれ、ＳＣＡＲＴ端子３４の第１０ピン、第２０ピンおよび第１９ピンとＳＣＡＲＴケーブル５０ｂによって接続されている。ここで、ＳＣＡＲＴ端子の第１０ピンは、接続された機器同士において双方向の制御を可能にする機能を有し、ＳＣＡＲＴ端子の第１９ピンおよび第２０ピンは、接続された機器同士において映像信号の入出力を可能にする機能を有する。
【００３６】
すなわち、液晶テレビジョン１０のＳＣＡＲＴモードにおいて、第１ＳＣＡＲＴ端子１７の第１０ピンとＳＣＡＲＴ端子２６の第１０ピンとによって、ＳＣＡＲＴケーブル５０ａを介して、液晶テレビジョン１０とプラズマテレビジョン２０とが互いに双方向の制御が可能なように構成されている。また、第２ＳＣＡＲＴ端子１８の第１０ピンとＳＣＡＲＴ端子３４の第１０ピンとによって、ＳＣＡＲＴケーブル５０ｂを介して、液晶テレビジョン１０とＳＴＢ３０とが互いに双方向の制御が可能なように構成されている。
【００３７】
たとえば、リモートコントローラ４０がユーザ（図示せず）によって操作されることによって、プラズマテレビジョン２０の操作に関する指示を有する操作信号が液晶テレビジョン１０の受信部１６に入力された際に、液晶テレビジョン１０の制御部１１に、第１ＳＣＡＲＴ端子１７の第１０ピンとＳＣＡＲＴケーブル５０ａとを介して、プラズマテレビジョン２０の操作に関する指示を伝達させることが可能なように構成されている。また、リモートコントローラ４０がユーザ（図示せず）によって操作されることによって、ＳＴＢ３０の操作に関する指示を有する操作信号が液晶テレビジョン１０の受信部１６に入力された際に、液晶テレビジョン１０の制御部１１に、第２ＳＣＡＲＴ端子１８の第１０ピンとＳＣＡＲＴケーブル５０ｂとを介して、ＳＴＢ３０に操作に関する指示を伝達させることが可能なように構成されている。すなわち、液晶テレビジョン１０のＳＣＡＲＴモードにおいて、液晶テレビジョン１０は、プラズマテレビジョン２０とＳＴＢ３０とを制御することが可能なように構成されている。
【００３８】
また、第１実施形態では、液晶テレビジョン１０の制御部１１によって、ＳＣＡＲＴモードに切り替わった際に、第１ＳＣＡＲＴ端子１７および第２ＳＣＡＲＴ端子１８にそれぞれ接続されている外部機器が判別されるように構成されている。
【００３９】
具体的には、液晶テレビジョン１０の制御部１１によって、第１ＳＣＡＲＴ端子１７の第１０ピンおよび第２ＳＣＡＲＴ端子１８の第１０ピンから、外部機器（プラズマテレビジョン２０およびＳＴＢ３０）の種類に応じてそれぞれに割り当てられたアドレス情報を有する機器判別信号が、記憶部１２に記憶されているそれぞれアドレス情報の数（ｎ個）だけ出力されるように構成されている。なお、機器判別信号は、図４に示すように、ヘッダーブロックのみからなるように構成されており、送信元のアドレス情報（液晶テレビジョン１０のアドレス情報「０」）からなるソースと、外部機器のアドレス情報からなる信号の宛先と、メッセージの終わりを示すＥＯＭ（Ｅｎｄ  Ｏｆ  Ｍｅｓｓａｇｅ）とから構成されている。
【００４０】
また、割り当てられたアドレス情報と同一のアドレス情報を宛先として有する機器判別信号が入力された外部機器（プラズマテレビジョン２０およびＳＴＢ３０）は、ＳＣＡＲＴ端子（２６および３４）とＳＣＡＲＴケーブル（５０ａおよび５０ｂ）とを介して、入力された機器判別信号が有するアドレス情報と同一のアドレス情報を宛先として有することを示すＡＣＫ（Ａｃｋｎｏｗｌｅａｇｅ）を有する応答信号を液晶テレビジョン１０に出力するように構成されている。なお、応答信号は、図５に示すように、ヘッダーブロックのみからなるように構成されており、送信元のアドレス情報（外部機器のアドレス情報）からなるソースと、液晶テレビジョン１０のアドレス情報「０」からなる信号の宛先と、メッセージの終わりを示すＥＯＭと、ＡＣＫとから構成されている。
【００４１】
また、第１実施形態では、制御部１１によって、第１ＳＣＡＲＴ端子１７の第１０ピンおよび第２ＳＣＡＲＴ端子１８の第１０ピンを介して、アドレス情報「ｉ（０≦ｉ≦ｎ−１）」を有する機器判別信号が外部機器（プラズマテレビジョン２０およびＳＴＢ３０）にそれぞれ出力された後、外部機器から応答信号が入力されたか否かが判別されるように構成されている。そして、第１ＳＣＡＲＴ端子１７または第２ＳＣＡＲＴ端子１８に外部機器から応答信号が入力された場合には、アドレス情報「ｉ」を有する外部機器が第１ＳＣＡＲＴ端子１７または第２ＳＣＡＲＴ端子１８に接続されていると判別するとともに、第１ＳＣＡＲＴ端子１７または第２ＳＣＡＲＴ端子１８に外部機器から応答信号が入力されない場合には、アドレス情報「ｉ」を有する外部機器が第１ＳＣＡＲＴ端子１７または第２ＳＣＡＲＴ端子１８に接続されていないと判別するように構成されている。
【００４２】
なお、第１実施形態においては、アドレス情報「０」を有する機器判別信号がプラズマテレビジョン２０に入力された際に、プラズマテレビジョン２０の制御部２１によって、ＳＣＡＲＴ端子２６およびＳＣＡＲＴケーブル５０ａを介して、応答信号が液晶テレビジョン１０に出力されるように構成されている。これにより、液晶テレビジョン１０の制御部１１によって、第１ＳＣＡＲＴ端子１７の第１０ピンに入力された応答信号に基づいて、第１ＳＣＡＲＴ端子１７に接続されている外部機器がプラズマテレビジョン２０であると認識されるように構成されている。
【００４３】
また、アドレス情報「３」を有する機器判別信号がＳＴＢ３０に入力された際に、ＳＴＢ３０の制御部３１によって、ＳＣＡＲＴ端子３４およびＳＣＡＲＴケーブル５０ｂを介して、応答信号が液晶テレビジョン１０に出力されるように構成されている。これにより、液晶テレビジョン１０の制御部１１によって、第２ＳＣＡＲＴ端子１８の第１０ピンに入力された応答信号に基づいて、第２ＳＣＡＲＴ端子１８に接続されている外部機器がＳＴＢ３０であると認識されるように構成されている。
【００４４】
また、第１ＳＣＡＲＴ端子１７および第２ＳＣＡＲＴ端子１８とそれぞれ接続されていると認識されたプラズマテレビジョン２０およびＳＴＢ３０の接続状態は、それぞれ、液晶テレビジョン１０の記憶部１２に記憶されるように構成されている。
【００４５】
また、第１ＳＣＡＲＴ端子１７の第１９ピンおよびＳＣＡＲＴ端子２６の第２０ピンと、ＳＣＡＲＴケーブル５０ａとを介して、液晶テレビジョン１０からプラズマテレビジョン２０に映像信号が出力可能なように構成されているとともに、第２ＳＣＡＲＴ端子１８の第１９ピンおよびＳＣＡＲＴ端子３４の第２０ピンと、ＳＣＡＲＴケーブル５０ｂとを介して、液晶テレビジョン１０からＳＴＢ３０に映像信号が出力可能なように構成されている。この際、液晶テレビジョン１０のテレビジョン放送受信部１４において受信されたテレビジョン放送信号が映像信号として出力されるように構成されている。このテレビジョン放送信号は、制御部１１によって出力が停止されるまで、第１ＳＣＡＲＴ端子１７の第１９ピンおよび第２ＳＣＡＲＴ端子１８の第１９ピンから出力され続けるように構成されている。
【００４６】
ここで、第１実施形態では、液晶テレビジョン１０の制御部１１によって、テレビジョン放送信号の出力が必要であると判別されたプラズマテレビジョン２０に、第１ＳＣＡＲＴ端子１７の第１９ピンからテレビジョン放送信号が出力されるとともに、テレビジョン放送信号の出力が必要でないと判別されたＳＴＢ３０に、第２ＳＣＡＲＴ端子１８の第１９ピンからテレビジョン放送信号が出力されないように構成されている。すなわち、第１実施形態では、液晶テレビジョン１０の制御部１１によりテレビジョン放送信号の出力が停止されることによって、第２ＳＣＡＲＴ端子１８の第１９ピンからＳＴＢ３０にテレビジョン放送信号が出力されないように構成されている。
【００４７】
また、第１実施形態では、アドレス情報を有する機器判別信号を第１ＳＣＡＲＴ端子１７の第１０ピンからアドレス情報の数（ｎ個）だけ出力した後、第１ＳＣＡＲＴ端子１７の第１０ピンに応答信号が入力されない場合、または、機器判別信号を第２ＳＣＡＲＴ端子１８の第１０ピンからアドレス情報の数（ｎ個）だけ出力した後、第２ＳＣＡＲＴ端子１８の第１０ピンに応答信号が入力されない場合、液晶テレビジョン１０の制御部１１によって、テレビジョン放送信号が第１ＳＣＡＲＴ端子１７の第１９ピンまたは第２ＳＣＡＲＴ端子１８の第１９ピンに出力されるように構成されている。すなわち、液晶テレビジョン１０の第１ＳＣＡＲＴ端子１７または第２ＳＣＡＲＴ端子１８にアドレス情報を有しない外部機器が接続されているか、または、外部機器が接続されていない場合、液晶テレビジョン１０の制御部１１によって、テレビジョン放送信号が第１ＳＣＡＲＴ端子１７の第１９ピンまたは第２ＳＣＡＲＴ端子１８の第１９ピンを介して、外部機器に出力されるように構成されている。
【００４８】
また、第１ＳＣＡＲＴ端子１７の第２０ピンおよびＳＣＡＲＴ端子２６の第１９ピンと、ＳＣＡＲＴケーブル５０ａとを介して、プラズマテレビジョン２０から液晶テレビジョン１０に映像信号が出力可能なように構成されている。この際、プラズマテレビジョン２０のテレビジョン放送受信部２４において受信されたテレビジョン放送信号が映像信号として出力可能なように構成されている。
【００４９】
また、第２ＳＣＡＲＴ端子１８の第２０ピンおよびＳＣＡＲＴ端子３４の第１９ピンと、ＳＣＡＲＴケーブル５０ｂとを介して、ＳＴＢ３０から液晶テレビジョン１０に映像信号が出力可能なように構成されている。この際、ＳＴＢ３０の衛星放送受信部３３において受信された衛星放送信号が映像信号として出力可能なように構成されている。
【００５０】
次に、図２〜図７を参照して、第１実施形態による映像表示システム１の外部機器接続認識時の制御動作を説明する。
【００５１】
まず、図６に示す液晶テレビジョン１０の外部機器接続認識時の制御動作において、ステップＳ１では、ユーザ（図示せず）によるリモートコントローラ４０（図２参照）の操作によって、液晶テレビジョン１０（図２参照）の表示モードがＳＣＡＲＴモードに切り替えられたか否かが制御部１１（図２参照）により判断される。ステップＳ１において、ＳＣＡＲＴモードに切り替えられたと制御部１１により判断された場合、ステップＳ２に移行する。また、ステップＳ１において、ＳＣＡＲＴモードに切り替えられていないと制御部１１により判断された場合、ＳＣＡＲＴモードに切り替えられたと判断されるまでステップＳ１の判断が制御部１１により繰り返される。
【００５２】
そして、ステップＳ２では、制御部１１は、第１ＳＣＡＲＴ端子１７の第１０ピンおよび第２ＳＣＡＲＴ端子１８の第１０ピン（図２参照）から、それぞれ、記憶部１２に記憶されている外部機器の種類に基づくアドレス情報「ｉ（０≦ｉ≦ｎ−１）」（図３参照）を有する機器判別信号（図４参照）を０番目から順に出力する。そして、ステップＳ３に移行する。
【００５３】
ここで、図７に示す外部機器（プラズマテレビジョン２０およびＳＴＢ３０：図２参照）の外部機器接続認識時の制御動作において、ステップＳ１１では、液晶テレビジョン１０からＳＣＡＲＴケーブル５０ａ（５０ｂ）（図２参照）を介して、アドレス情報「ｉ」を有する機器判別信号がＳＣＡＲＴ端子２６（３４）の第１０ピン（図２参照）から入力されたか否かが制御部２１（３１）（図２参照）により判断される。ステップＳ１１において、アドレス情報「ｉ」を有する機器判別信号が入力されたと制御部２１（３１）により判断された場合、ステップＳ１２に移行する。また、ステップＳ１１において、アドレス情報「ｉ」を有する機器判別信号が入力されていないと制御部２１（３１）により判断された場合、アドレス情報「ｉ」を有する機器判別信号が入力されたと判断されるまでステップＳ１１の判断が制御部２１（３１）により繰り返される。
【００５４】
そして、ステップＳ１２では、外部機器（プラズマテレビジョン２０およびＳＴＢ３０）のアドレス情報と入力された機器判別信号に含まれるアドレス情報「ｉ」とが同一であるか否かが制御部２１（３１）により判断される。ステップＳ１２において、外部機器のアドレス情報と機器判別信号に含まれるアドレス情報「ｉ」とが同一であると制御部２１（３１）により判断された場合、ステップＳ１３に移行する。なお、第１実施形態では、ステップＳ１２において、プラズマテレビジョン２０では、機器判別信号に含まれるアドレス情報が「０」である場合に、ステップＳ１３に移行するとともに、ＳＴＢ３０では、機器判別信号に含まれるアドレス情報が「３」である場合に、ステップＳ１３に移行する。そして、ステップＳ１３では、制御部２１（３１）は、それぞれ、ＳＣＡＲＴ端子２６（３４）から応答信号（図５参照）を出力する。そして、外部機器の外部機器接続認識時の制御動作が終了される。
【００５５】
また、ステップＳ１２において、外部機器のアドレス情報と機器判別信号に含まれるアドレス情報「ｉ」とが同一でないと制御部２１（３１）により判断された場合、外部機器の外部機器接続認識時の制御動作が終了される。なお、第１実施形態では、ステップＳ１２において、プラズマテレビジョン２０では、機器判別信号に含まれるアドレス情報が「０」以外である場合に、プラズマテレビジョン２０の制御動作が終了されるとともに、ＳＴＢ３０では、機器判別信号に含まれるアドレス情報が「３」以外である場合に、ＳＴＢ３０の制御動作が終了される。
【００５６】
ここで、図６に示す液晶テレビジョン１０の外部機器接続認識時の制御動作において、ステップＳ３では、アドレス情報「ｉ」を有する機器判別信号を出力した後に、応答信号が第１ＳＣＡＲＴ端子１７の第１０ピンから入力されたか否かが制御部１１により判断される。ステップＳ３において、応答信号が第１ＳＣＡＲＴ端子１７の第１０ピンから入力されたと制御部１１により判断された場合、ステップＳ４に移行して、制御部１１は、第１ＳＣＡＲＴ端子１７にアドレス情報「ｉ」を有する外部機器が接続されていることを認識し、記憶部１２に記憶させる。なお、第１実施形態では、制御部１１は、アドレス情報「０」を有する機器判別信号を出力し、プラズマテレビジョン２０から出力された応答信号が第１ＳＣＡＲＴ端子１７の第１０ピンから入力された際に、第１ＳＣＡＲＴ端子１７にアドレス情報「０」を有するプラズマテレビジョン２０が接続されていることを認識し、記憶部１２に記憶させる。そして、ステップＳ５に移行する。また、ステップＳ３において、応答信号が第１ＳＣＡＲＴ端子１７の第１０ピンから入力されていないと制御部１１により判断された場合、ステップＳ５に移行する。
【００５７】
次に、ステップＳ５では、アドレス情報「ｉ」を有する機器判別信号を出力した後に、応答信号が第２ＳＣＡＲＴ端子１８の第１０ピンから入力されたか否かが制御部１１により判断される。ステップＳ５において、応答信号が第２ＳＣＡＲＴ端子１８の第１０ピンから入力されたと制御部１１により判断された場合、ステップＳ６に移行して、制御部１１は、第２ＳＣＡＲＴ端子１８にアドレス情報「ｉ」を有する外部機器が接続されていることを認識し、記憶部１２に記憶させる。なお、第１実施形態では、制御部１１は、アドレス情報「３」を有する機器判別信号を出力し、ＳＴＢ３０から出力された応答信号が第２ＳＣＡＲＴ端子１８の第１０ピンから入力された際に、第２ＳＣＡＲＴ端子１８にアドレス情報「３」を有するＳＴＢ３０が接続されていることを認識し、記憶部１２に記憶させる。そして、ステップＳ７に移行する。また、ステップＳ５において、応答信号が第２ＳＣＡＲＴ端子１８の第２０ピンから入力されていないと制御部１１により判断された場合、ステップＳ７に移行する。
【００５８】
次に、ステップＳ７では、制御部１１は、ｉを１つ増加させる。そして、ステップＳ８に移行して、アドレス情報「ｉ」が記憶部１２に記憶されている最後のアドレス情報である「ｎ−１」よりも大きいか否かが制御部１１により判断される。ステップＳ８において、制御部１１によりアドレス情報「ｉ」が「ｎ−１」以下であると判断された場合、ステップＳ２に戻る。
【００５９】
つまり、第１実施形態では、ステップＳ２〜ステップＳ８のループにおいて、制御部１１は、アドレス情報「０」から「ｎ−１」までのｎ個の外部機器の種類のすべてにおいて、第１ＳＣＡＲＴ端子１７の第１０ピンおよび第２ＳＣＡＲＴ端子１８の第１０ピンに応答信号が入力された際のアドレス情報「ｉ（０≦ｉ≦ｎ−１）」に基づいて、アドレス情報「ｉ」を有する外部機器が第１ＳＣＡＲＴ端子１７および第２ＳＣＡＲＴ端子１８に接続されているか否かを判別する。
【００６０】
また、ステップＳ８において、制御部１１によりアドレス情報「ｉ」が「ｎ−１」よりも大きいと判断された場合、液晶テレビジョン１０の外部機器接続認識時の制御動作が終了される。この際、アドレス情報「０」から「ｎ−１」までのｎ個の外部機器の種類のすべてにおいて、第１ＳＣＡＲＴ端子１７または第２ＳＣＡＲＴ端子１８にアドレス情報「ｉ」を有する外部機器が接続されていることが認識されなかった場合は、第１ＳＣＡＲＴ端子１７または第２ＳＣＡＲＴ端子１８に、アドレス情報を有しない外部機器が接続されているか、または、どの外部機器も接続されていない場合である。
【００６１】
次に、図２、図３、図６および図８を参照して、第１実施形態による映像表示システム１の液晶テレビジョン１０のテレビジョン放送信号出力の制御動作を説明する。
【００６２】
まず、図８に示す液晶テレビジョン１０のテレビジョン放送信号出力の制御動作において、ステップＳ２１では、図６に示す液晶テレビジョン１０の外部機器接続認識時において、第１ＳＣＡＲＴ端子１７（図２参照）に接続されていると認識された外部機器があるか否かが制御部１１（図２参照）により判断される。ステップＳ２１において、第１ＳＣＡＲＴ端子１７に接続されていると認識された外部機器があると制御部１１により判断された場合、ステップＳ２２に移行する。また、ステップＳ２１において、第１ＳＣＡＲＴ端子１７に接続されていると認識された外部機器がないと判断された場合、ステップＳ２４に移行する。
【００６３】
次に、ステップＳ２２では、記憶部１２（図２参照）に記憶されている外部機器の種類に基づくテレビジョン放送信号の出力の要否（図３参照）と、記憶部１２に記憶されている第１ＳＣＡＲＴ端子１７に接続されていると認識された外部機器とに基づいて、第１ＳＣＡＲＴ端子１７に接続されていると認識された外部機器がテレビジョン放送信号の出力を必要とする外部機器であるか否かが制御部１１により判断される。ステップＳ２２において、第１ＳＣＡＲＴ端子１７に接続されていると認識された外部機器がテレビジョン放送信号の出力を必要とする外部機器であると制御部１１により判断された場合、ステップＳ２４に移行する。また、ステップＳ２２において、第１ＳＣＡＲＴ端子１７に接続されていると認識された外部機器がテレビジョン放送信号の出力を必要とする外部機器でないと判断された場合、ステップＳ２３に移行する。なお、第１実施形態では、第１ＳＣＡＲＴ端子１７に接続されているプラズマテレビジョン２０は、「０」というアドレス情報を有するので、制御部１１は、テレビジョン放送信号の出力を必要とする外部機器であると判断して、ステップＳ２４に移行する。
【００６４】
そして、ステップＳ２３では、制御部１１は、第１ＳＣＡＲＴ端子１７の第１９ピン（図２参照）から出力され続けていたテレビジョン放送信号の出力を停止する。これにより、第１ＳＣＡＲＴ端子１７の第１９ピンからテレビジョン放送信号が出力されなくなる。そして、ステップＳ２４に移行する。
【００６５】
次に、ステップＳ２４では、図６に示す液晶テレビジョン１０の外部機器接続認識時において、第２ＳＣＡＲＴ端子１８（図２参照）に接続されていると認識された外部機器があるか否かが制御部１１により判断される。ステップＳ２４において、第２ＳＣＡＲＴ端子１８に接続されていると認識された外部機器があると制御部１１により判断された場合、ステップＳ２５に移行する。また、ステップＳ２４において、第２ＳＣＡＲＴ端子１８に接続されていると認識された外部機器がないと判断された場合、液晶テレビジョン１０のテレビジョン放送信号出力の制御動作が終了される。
【００６６】
次に、ステップＳ２５では、記憶部１２に記憶されている外部機器の種類に基づくテレビジョン放送信号の出力の要否と、記憶部１２に記憶されている第２ＳＣＡＲＴ端子１８に接続されていると認識された外部機器とに基づいて、第２ＳＣＡＲＴ端子１８に接続されていると認識された外部機器がテレビジョン放送信号の出力を必要とする外部機器であるか否かが制御部１１により判断される。ステップＳ２５において、第２ＳＣＡＲＴ端子１８に接続されていると認識された外部機器がテレビジョン放送信号の出力を必要とする外部機器であると制御部１１により判断された場合、液晶テレビジョン１０のテレビジョン放送信号出力の制御動作が終了される。また、ステップＳ２５において、第２ＳＣＡＲＴ端子１８に接続されていると認識された外部機器がテレビジョン放送信号の出力を必要とする外部機器でないと判断された場合、ステップＳ２６に移行する。なお、第１実施形態では、第２ＳＣＡＲＴ端子１８に接続されているＳＴＢ３０は、「３」というアドレス情報を有するので、制御部１１は、テレビジョン放送信号の出力を必要としない外部機器であると判断して、ステップＳ２６に移行する。
【００６７】
そして、ステップＳ２６では、制御部１１は、第２ＳＣＡＲＴ端子１８の第１９ピン（図２参照）から出力され続けていたテレビジョン放送信号の出力を停止する。これにより、第２ＳＣＡＲＴ端子１８の第１９ピンからテレビジョン放送信号が出力されなくなる。そして、液晶テレビジョン１０のテレビジョン放送信号出力の制御動作が終了される。
【００６８】
第１実施形態では、上記のように、液晶テレビジョン１０の制御部１１を、テレビジョン放送信号の出力が必要であると判別されたプラズマテレビジョン２０に、第１ＳＣＡＲＴ端子１７の第１９ピンからテレビジョン放送信号を出力するとともに、テレビジョン放送信号の出力が必要でないと判別されたＳＴＢ３０に第２ＳＣＡＲＴ端子１８の第１９ピンからのテレビジョン放送信号の出力を停止することにより、テレビジョン放送信号を出力しないように構成することによって、テレビジョン放送信号の出力が必要でないと判別されたＳＴＢ３０に対してはテレビジョン放送信号が出力されないようにすることができるので、不要なテレビジョン放送信号が他の信号（ＳＴＢ３０から液晶テレビジョン１０に出力される衛星放送信号）に混入するクロストークが発生するのを抑制することができる。
【００６９】
また、第１実施形態では、上記のように、液晶テレビジョン１０の記憶部１２に、第１ＳＣＡＲＴ端子１７および第２ＳＣＡＲＴ端子１８と接続される外部機器の種類と、外部機器の種類に基づくアドレス情報と、外部機器の種類に基づくテレビジョン放送信号の出力の要否とを対応付けられた状態で記憶させることによって、制御部１１によって、記憶部１２に記憶された外部機器の種類に基づくアドレス情報を有する機器判別信号を、第１ＳＣＡＲＴ端子１７および第２ＳＣＡＲＴ端子１８とそれぞれ接続された外部機器（プラズマテレビジョン２０およびＳＴＢ３０）に出力させることができるので、外部機器の種類に基づくアドレス情報に基づいて外部機器の種類を判別させることができる。また、液晶テレビジョン１０の制御部１１に、第１ＳＣＡＲＴ端子１７および第２ＳＣＡＲＴ端子１８とそれぞれ接続された外部機器の種類と、記憶部１２に記憶された外部機器の種類に基づくテレビジョン放送信号の出力の要否とが対応付けられていることによって、制御部１１により、容易に、第１ＳＣＡＲＴ端子１７および第２ＳＣＡＲＴ端子１８とそれぞれ接続された外部機器にテレビジョン放送信号を出力する要否を判別することができる。
【００７０】
また、第１実施形態では、上記のように、液晶テレビジョン１０の制御部１１に、第１ＳＣＡＲＴ端子１７の第１０ピンおよび第２ＳＣＡＲＴ端子１８の第１０ピンを介して、アドレス情報「ｉ（０≦ｉ≦ｎ−１）」を有する機器判別信号を外部機器（プラズマテレビジョン２０およびＳＴＢ３０）にそれぞれ出力した後、外部機器から応答信号が入力されたか否かを判別させるように構成することによって、制御部１１により、容易に、第１ＳＣＡＲＴ端子１７および第２ＳＣＡＲＴ端子１８と接続された外部機器の種類を判別することができる。
【００７１】
また、第１実施形態では、上記のように、アドレス情報を有する機器判別信号を第１ＳＣＡＲＴ端子１７の第１０ピンからアドレス情報の数（ｎ個）出力した後、第１ＳＣＡＲＴ端子１７の第１０ピンに応答信号が入力されない場合、または、機器判別信号を第２ＳＣＡＲＴ端子１８の第１０ピンからアドレス情報の数（ｎ個）出力した後、第２ＳＣＡＲＴ端子１８の第１０ピンに応答信号が入力されない場合、液晶テレビジョン１０の制御部１１に、テレビジョン放送信号を第１ＳＣＡＲＴ端子１７の第１９ピンまたは第２ＳＣＡＲＴ端子１８の第１９ピンに出力させるように構成することによって、機器判別信号に反応しない外部機器が接続されていることにより、第１ＳＣＡＲＴ端子１７または第２ＳＣＡＲＴ端子１８に応答信号が入力されない場合においても、制御部１１にテレビジョン放送信号を出力させることができるので、機器判別信号に反応しない外部機器がテレビジョン放送信号の出力を必要とする外部機器であったとしても、機器判別信号に反応しない外部機器にテレビジョン放送信号が入力されなくなるのを防止することができる。
【００７２】
また、第１実施形態では、上記のように、液晶テレビジョン１０の制御部１１に、ＳＣＡＲＴモードに切り替わった際に、第１ＳＣＡＲＴ端子１７の第１０ピンおよび第２ＳＣＡＲＴ端子１８の第１０ピンにそれぞれ接続されている外部機器（プラズマテレビジョン２０およびＳＴＢ３０）を判別させるように構成することによって、制御部１１に、ＳＣＡＲＴモードに切り替わるごとに、第１ＳＣＡＲＴ端子１７および第２ＳＣＡＲＴ端子１８にそれぞれ接続された外部機器の種類と、第１ＳＣＡＲＴ端子１７および第２ＳＣＡＲＴ端子１８を介してテレビジョン放送信号を外部機器に出力する要否とが自動的に判別されるので、ＳＣＡＲＴモードが用いられる際に、常に、現状に即した外部機器との接続状態に基づいて、制御部１１にテレビジョン放送信号の出力が必要であると判別された外部機器（プラズマテレビジョン２０）にテレビジョン放送信号を出力させるとともに、テレビジョン放送信号の出力が必要でないと判別された外部機器（ＳＴＢ３０）にテレビジョン放送信号を出力させないように構成することができる。
【００７３】
（第２実施形態）
次に、図２、図３、図６、図９〜図１１を参照して、第２実施形態について説明する。この第２実施形態による映像表示システム１００では、上記第１実施形態に加えて、プラズマテレビジョン１２０およびブルーレイディスクプレーヤ１６０が、液晶テレビジョン１０の第１ＳＣＡＲＴ端子１７に直列に接続されているとともに、ＳＴＢ１３０およびＤＶＤプレーヤ１７０が、液晶テレビジョン１０の第２ＳＣＡＲＴ端子１８に直列に接続されている場合について説明する。
【００７４】
まず、図２、図３、図９および図１０を参照して、第２実施形態による映像表示システム１００の構成を説明する。
【００７５】
本発明の第２実施形態による映像表示システム１００は、図９に示すように、液晶テレビジョン１０と、プラズマテレビジョン１２０と、セットトップボックス（ＳＴＢ）１３０と、リモートコントローラ４０とに加えて、ブルーレイディスクプレーヤ１６０と、ＤＶＤプレーヤ１７０とから構成されている。また、プラズマテレビジョン１２０とブルーレイディスクプレーヤ１６０とは、ＳＣＡＲＴケーブル１５０ｃによって電気的に接続されているとともに、ＳＴＢ１３０とＤＶＤプレーヤ１７０とは、ＳＣＡＲＴケーブル１５０ｄによって電気的に接続されている。つまり、プラズマテレビジョン１２０およびブルーレイディスクプレーヤ１６０は、液晶テレビジョン１０の１つの第１ＳＣＡＲＴ端子１７（図２参照）に直列に接続されているとともに、ＳＴＢ１３０およびＤＶＤプレーヤ１７０は、液晶テレビジョン１０の１つの第２ＳＣＡＲＴ端子１８（図２参照）に直列に接続されている。なお、プラズマテレビジョン１２０、ＳＴＢ１３０、ブルーレイディスクプレーヤ１６０およびＤＶＤプレーヤ１７０は、それぞれ、本発明の「外部機器」の一例である。
【００７６】
また、第２実施形態では、図３に示すように、液晶テレビジョン１０の記憶部１２（図２参照）に記憶されている外部機器の種類に基づくテレビジョン放送信号の出力の要否に基づいて、液晶テレビジョン１０の制御部１１（図２参照）によって、テレビジョン放送信号の出力の要否が判別されるように構成されている。具体的には、ブルーレイディスクプレーヤ１６０およびＤＶＤプレーヤ１７０はプレーヤの種類に含まれるので、ブルーレイディスクプレーヤ１６０およびＤＶＤプレーヤ１７０のアドレス情報はそれぞれ「１」になり、制御部１１によってテレビジョン放送信号の出力が必要でないと判別されるように構成されている。
【００７７】
また、図１０に示すように、ブルーレイディスクプレーヤ１６０は、制御部１６１と、記憶部１６２と、ブルーレイディスクを再生するためのブルーレイディスク再生部１６３とを含む。また、記憶部１６２には、制御部１６１において用いられるプログラムなどが記憶されているとともに、ＳＣＡＲＴ端子と接続される機器の種類と、機器の種類に基づくアドレス情報とが対応付けられた状態で、ｎ個テーブル形式で記憶されている。すなわち、記憶部１６２には、液晶テレビジョン１０のアドレス情報が「０」である点と、ブルーレイディスクプレーヤ１６０自身のアドレス情報が「１」である点とが記憶されている。
【００７８】
また、ＤＶＤプレーヤ１７０は、制御部１７１と、記憶部１７２と、ＤＶＤを再生するためのＤＶＤ再生部１７３とを含む。また、記憶部１７２には、制御部１７１において用いられるプログラムなどが記憶されているとともに、ＳＣＡＲＴ端子と接続される機器の種類と、機器の種類に基づくアドレス情報とが対応付けられた状態で、ｎ個テーブル形式で記憶されている。すなわち、記憶部１７２には、液晶テレビジョン１０のアドレス情報が「０」である点と、ＤＶＤプレーヤ１７０自身のアドレス情報が「１」である点とが記憶されている。
【００７９】
また、プラズマテレビジョン１２０には、液晶テレビジョン１０とＳＣＡＲＴケーブル５０ａを介して接続されている第１ＳＣＡＲＴ端子２６とは別個に、第２ＳＣＡＲＴ端子１２７がさらに設けられている。また、ＳＴＢ１３０には、液晶テレビジョン１０とＳＣＡＲＴケーブル５０ｂを介して接続されている第１ＳＣＡＲＴ端子３４とは別個に、第２ＳＣＡＲＴ端子１３５がさらに設けられている。また、ブルーレイディスクプレーヤ１６０には、ＳＣＡＲＴ端子１６４が設けられているとともに、ＤＶＤプレーヤ１７０には、ＳＣＡＲＴ端子１７４が設けられている。
【００８０】
また、プラズマテレビジョン１２０の第２ＳＣＡＲＴ端子１２７の第１０ピン、第１９ピンおよび第２０ピンは、それぞれ、ブルーレイディスクプレーヤ１６０のＳＣＡＲＴ端子１６４の第１０ピン、第２０ピンおよび第１９ピンとＳＣＡＲＴケーブル１５０ｃによって接続されている。また、ＳＴＢ１３０の第２ＳＣＡＲＴ端子１３５の第１０ピン、第１９ピンおよび第２０ピンは、それぞれ、ＤＶＤプレーヤ１７０のＳＣＡＲＴ端子１７４の第１０ピン、第２０ピンおよび第１９ピンとＳＣＡＲＴケーブル５０ｂによって接続されている。
【００８１】
また、第２実施形態では、液晶テレビジョン１０のＳＣＡＲＴモードにおいて、プラズマテレビジョン１２０を挟んだ状態でＳＣＡＲＴケーブル５０ａおよび１５０ｃを介して接続されている液晶テレビジョン１０とブルーレイディスクプレーヤ１６０とが、互いに双方向の制御が可能なように構成されている。また、ＳＴＢ１３０を挟んだ状態でＳＣＡＲＴケーブル５０ｂおよび１５０ｄを介して接続されている液晶テレビジョン１０とＤＶＤプレーヤ１７０とが、互いに双方向の制御が可能なように構成されている。これにより、ＳＣＡＲＴモードにおいて、液晶テレビジョン１０は、プラズマテレビジョン１２０、ＳＴＢ１３０、ブルーレイディスクプレーヤ１６０およびＤＶＤプレーヤ１７０を制御することが可能なように構成されている。
【００８２】
また、第２実施形態では、液晶テレビジョン１０の制御部１１（図２参照）によって、ＳＣＡＲＴモードに切り替わった際に、第１ＳＣＡＲＴ端子１７および第２ＳＣＡＲＴ端子１８にそれぞれ接続されている外部機器が判別されるように構成されている。なお、アドレス情報「１」を有する機器判別信号がブルーレイディスクプレーヤ１６０に入力された際に、ブルーレイディスクプレーヤ１６０の制御部１６１は、ＳＣＡＲＴ端子１６４、第１ＳＣＡＲＴ端子２６および第２ＳＣＡＲＴ端子１２７と、ＳＣＡＲＴケーブル５０ａおよび１５０ｃとを介して、応答信号を液晶テレビジョン１０に出力するように構成されている。これにより、液晶テレビジョン１０の制御部１１によって、第１ＳＣＡＲＴ端子１７の第１０ピンに入力された応答信号に基づいて、第１ＳＣＡＲＴ端子１７にブルーレイディスクプレーヤ１６０が接続されていると認識されるように構成されている。
【００８３】
また、アドレス情報「１」を有する機器判別信号がＤＶＤプレーヤ１７０に入力された際に、ＤＶＤプレーヤ１７０の制御部１７１は、ＳＣＡＲＴ端子１７４、第１ＳＣＡＲＴ端子３４および第２ＳＣＡＲＴ端子１３５と、ＳＣＡＲＴケーブル５０ｂおよび１５０ｄとを介して、応答信号を液晶テレビジョン１０に出力するように構成されている。これにより、液晶テレビジョン１０の制御部１１によって、第２ＳＣＡＲＴ端子１８の第１０ピンに入力された応答信号に基づいて、第２ＳＣＡＲＴ端子１８にＤＶＤプレーヤ１７０が接続されていると認識されるように構成されている。
【００８４】
また、第１ＳＣＡＲＴ端子１７および第２ＳＣＡＲＴ端子１８と接続されていると認識されたブルーレイディスクプレーヤ１６０およびＤＶＤプレーヤ１７０の接続状態は、それぞれ、液晶テレビジョン１０の記憶部１２（図２参照）に記憶されるように構成されている。
【００８５】
また、液晶テレビジョン１０からプラズマテレビジョン１２０に出力されたテレビジョン放送信号が、第２ＳＣＡＲＴ端子１２７の第１９ピンおよびＳＣＡＲＴ端子１６４の第２０ピンと、ＳＣＡＲＴケーブル１５０ｃとを介して、プラズマテレビジョン１２０からブルーレイディスクプレーヤ１６０に出力可能なように構成されている。また、液晶テレビジョン１０からＳＴＢ１３０に出力されたテレビジョン放送信号が、第２ＳＣＡＲＴ端子１３５の第１９ピンおよびＳＣＡＲＴ端子１７４の第２０ピンと、ＳＣＡＲＴケーブル１５０ｄとを介して、ＳＴＢ１３０からＤＶＤプレーヤ１７０に出力可能なように構成されている。
【００８６】
ここで、第２実施形態では、液晶テレビジョン１０の制御部１１によって、第１ＳＣＡＲＴ端子１７または第２ＳＣＡＲＴ端子１８にテレビジョン放送信号の出力が必要である外部機器が少なくとも１つ以上接続されていると判別された場合、第１ＳＣＡＲＴ端子１７の第１９ピンまたは第２ＳＣＡＲＴ端子１８の第１９ピンからテレビジョン放送信号が出力されるように構成されている。また、液晶テレビジョン１０の制御部１１によって、第１ＳＣＡＲＴ端子１７または第２ＳＣＡＲＴ端子１８にテレビジョン放送信号の出力が必要である外部機器が１つも接続されていないと判別された場合、第１ＳＣＡＲＴ端子１７の第１９ピンまたは第２ＳＣＡＲＴ端子１８の第１９ピンからのテレビジョン放送信号の出力が停止されることによって、第１ＳＣＡＲＴ端子１７の第１９ピンまたは第２ＳＣＡＲＴ端子１８の第１９ピンからテレビジョン放送信号が出力されないように構成されている。
【００８７】
また、第２ＳＣＡＲＴ端子１２７の第２０ピンおよびＳＣＡＲＴ端子１６４の第１９ピンと、ＳＣＡＲＴケーブル１５０ｃとを介して、ブルーレイディスクプレーヤ１６０からプラズマテレビジョン１２０に出力された映像信号が、ＳＣＡＲＴケーブル５０ａを介して、プラズマテレビジョン１２０から液晶テレビジョン１０に出力可能なように構成されている。この際、ブルーレイディスクプレーヤ１６０のブルーレイディスク再生部１６３において再生されたブルーレイディスク映像信号が映像信号として出力可能なように構成されている。
【００８８】
また、第２ＳＣＡＲＴ端子１３５の第２０ピンおよびＳＣＡＲＴ端子１７４の第１９ピンと、ＳＣＡＲＴケーブル１５０ｄとを介して、ＤＶＤプレーヤ１７０からＳＴＢ１３０に出力された映像信号が、ＳＣＡＲＴケーブル５０ｂを介して、ＳＴＢ１３０から液晶テレビジョン１０に出力可能なように構成されている。この際、ＤＶＤプレーヤ１７０のＤＶＤ再生部１７３において再生されたＤＶＤ映像信号が映像信号として出力可能なように構成されている。なお、第２実施形態のその他の構成および映像表示システムの外部機器接続認識時の制御動作は、上記第１実施形態と同様である。
【００８９】
次に、図２、図３、図６、図１０および図１１を参照して、第２実施形態による映像表示システム１００の液晶テレビジョン１０のテレビジョン放送信号出力の制御動作を説明する。
【００９０】
まず、図１１に示す液晶テレビジョン１０のテレビジョン放送信号出力の制御動作において、ステップＳ１２１では、図６に示す液晶テレビジョン１０の外部機器接続認識時において、第１ＳＣＡＲＴ端子１７（図２参照）に接続されていると認識された外部機器があるか否かが制御部１１（図２参照）により判断される。ステップＳ１２１において、第１ＳＣＡＲＴ端子１７に接続されていると認識された外部機器があると制御部１１により判断された場合、ステップＳ１２２に移行する。また、ステップＳ１２１において、第１ＳＣＡＲＴ端子１７に接続されていると認識された外部機器がないと判断された場合、ステップＳ１２４に移行する。
【００９１】
次に、ステップＳ１２２では、記憶部１２（図２参照）に記憶されている外部機器の種類に基づくテレビジョン放送信号の出力の要否（図３参照）と、記憶部１２に記憶されている第１ＳＣＡＲＴ端子１７に接続されていると認識された外部機器とに基づいて、第１ＳＣＡＲＴ端子１７にテレビジョン放送信号の出力を必要とする外部機器が少なくとも１つ以上接続されているか否かが制御部１１により判断される。ステップＳ１２２において、第１ＳＣＡＲＴ端子１７にテレビジョン放送信号の出力を必要とする外部機器が少なくとも１つ以上接続されていると制御部１１により判断された場合、ステップＳ１２４に移行する。また、ステップＳ１２２において、第１ＳＣＡＲＴ端子１７にテレビジョン放送信号の出力を必要とする外部機器が１つも接続されていないと判断された場合、ステップＳ１２３に移行する。なお、第２実施形態では、第１ＳＣＡＲＴ端子１７には、テレビジョン放送信号の出力を必要としないブルーレイディスクプレーヤ１６０（図１０参照）が接続されている一方、テレビジョン放送信号の出力を必要とするプラズマテレビジョン１２０（図１０参照）が接続されているので、制御部１１によって、第１ＳＣＡＲＴ端子１７にテレビジョン放送信号の出力を必要とする外部機器が接続されていると判断されて、ステップＳ１２４に移行する。
【００９２】
そして、ステップＳ１２３では、制御部１１は、第１ＳＣＡＲＴ端子１７の第１９ピンから出力され続けていたテレビジョン放送信号の出力を停止する。これにより、第１ＳＣＡＲＴ端子１７の第１９ピンからテレビジョン放送信号が出力されなくなる。そして、ステップＳ１２４に移行する。
【００９３】
次に、ステップＳ１２４では、図６に示す液晶テレビジョン１０の外部機器接続認識時において、第２ＳＣＡＲＴ端子１８（図２参照）に接続されていると認識された外部機器があるか否かが制御部１１により判断される。ステップＳ１２４において、第２ＳＣＡＲＴ端子１８に接続されていると認識された外部機器があると制御部１１により判断された場合、ステップＳ１２５に移行する。また、ステップＳ１２４において、第２ＳＣＡＲＴ端子１８に接続されていると認識された外部機器がないと判断された場合、液晶テレビジョン１０のテレビジョン放送信号出力の制御動作が終了される。
【００９４】
次に、ステップＳ１２５では、記憶部１２に記憶されている外部機器の種類に基づくテレビジョン放送信号の出力の要否と、記憶部１２に記憶されている第２ＳＣＡＲＴ端子１８に接続されていると認識された外部機器とに基づいて、第２ＳＣＡＲＴ端子１８にテレビジョン放送信号の出力を必要とする外部機器が少なくとも１つ以上接続されているか否かが制御部１１により判断される。ステップＳ１２５において、第２ＳＣＡＲＴ端子１８にテレビジョン放送信号の出力を必要とする外部機器が少なくとも１つ以上接続されていると制御部１１により判断された場合、液晶テレビジョン１０のテレビジョン放送信号出力の制御動作が終了される。また、ステップＳ１２５において、第２ＳＣＡＲＴ端子１８にテレビジョン放送信号の出力を必要とする外部機器が１つも接続されていないと判断された場合、ステップＳ１２６に移行する。なお、第２実施形態では、第２ＳＣＡＲＴ端子１８には、テレビジョン放送信号の出力を必要としないＳＴＢ１３０（図１０参照）とＤＶＤプレーヤ１７０（図１０参照）とが接続されているので、制御部１１によって、第２ＳＣＡＲＴ端子１８にテレビジョン放送信号の出力を必要とする外部機器が１つも接続されていないと判断されて、ステップＳ１２６に移行する。
【００９５】
そして、ステップＳ１２６では、制御部１１は、第２ＳＣＡＲＴ端子１８の第１９ピンから出力され続けていたテレビジョン放送信号の出力を停止する。これにより、第２ＳＣＡＲＴ端子１８の第１９ピンからテレビジョン放送信号が出力されなくなる。そして、液晶テレビジョン１０のテレビジョン放送信号出力の制御動作が終了される。
【００９６】
第２実施形態では、上記のように、液晶テレビジョン１０の制御部１１を、１つの第１ＳＣＡＲＴ端子１７または１つの第２ＳＣＡＲＴ端子１８にテレビジョン放送信号の出力が必要である外部機器が少なくとも１つ以上接続されていると判別された場合、１つの第１ＳＣＡＲＴ端子１７の第１９ピンまたは１つの第２ＳＣＡＲＴ端子１８の第１９ピンからテレビジョン放送信号を出力するように構成することによって、１つの第１ＳＣＡＲＴ端子１７および１つの第２ＳＣＡＲＴ端子１８に接続されている複数の外部機器のうち、１つでもテレビジョン放送信号の出力を必要とする外部機器が第１ＳＣＡＲＴ端子１７および第２ＳＣＡＲＴ端子１８に接続されている場合（１つの第１ＳＣＡＲＴ端子１７にブルーレイディスクプレーヤ１６０とプラズマテレビジョン１２０とが接続されている場合）に制御部１１にテレビジョン放送信号を出力させることによって、テレビジョン放送信号の出力を必要とする外部機器にテレビジョン放送信号が入力されなくなるのを防止することができる。
【００９７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９８】
たとえば、上記第１実施形態では、映像表示システムの一例として、液晶テレビジョン１０と、プラズマテレビジョン２０と、ＳＴＢ３０と、リモートコントローラ４０とから構成された映像表示システム１を示すとともに、上記第２実施形態では、映像表示システムの一例として、液晶テレビジョン１０と、プラズマテレビジョン１２０と、ＳＴＢ１３０と、リモートコントローラ４０と、ブルーレイディスクプレーヤ１６０と、ＤＶＤプレーヤ１７０とから構成された映像表示システム１００を示したが、本発明はこれに限らず、映像表示システムは上記構成に限られない。すなわち、映像表示システムは、外部機器と外部機器と電気的に接続するためのＳＣＡＲＴ端子を有する映像表示装置とから構成されていればよい。
【００９９】
また、上記第１および第２実施形態では、映像表示装置およびテレビジョン装置の一例として、液晶テレビジョン１０を示したが、本発明はこれに限らず、ＳＣＡＲＴ端子を備えた映像表示装置およびテレビジョン装置であれば、ブラウン管テレビジョン、プラズマテレビジョンおよびリアプロジェクションテレビジョンなど、液晶テレビジョン以外の映像表示装置およびテレビジョン装置にも適用可能である。また、映像表示装置としては、ＳＣＡＲＴ端子を備えた映像表示機能を有する機器であれば、テレビジョン装置以外の機器でもよい。
【０１００】
また、上記第１実施形態では、外部機器の一例として、プラズマテレビジョン２０およびＳＴＢ３０を示すとともに、上記第２実施形態では、外部機器の一例として、プラズマテレビジョン１２０、ＳＴＢ１３０、ブルーレイディスクプレーヤ１６０およびＤＶＤプレーヤ１７０を示したが、本発明はこれに限らず、外部機器は、レコーダなどの液晶テレビジョンに接続される外部機器であれば特に限定されない。
【０１０１】
また、上記第２実施形態では、液晶テレビジョン１０の第１ＳＣＡＲＴ端子１７にプラズマテレビジョン１２０およびブルーレイディスクプレーヤ１６０を直列に接続するとともに、液晶テレビジョン１０の第２ＳＣＡＲＴ端子１８にＳＴＢ１３０およびＤＶＤプレーヤ１７０を直列に接続した例を示したが、本発明はこれに限らず、第１ＳＣＡＲＴ端子および第２ＳＣＡＲＴ端子に、それぞれ、３つ以上の外部機器を直列に接続するように構成してもよいし、第１ＳＣＡＲＴ端子および第２ＳＣＡＲＴ端子に接続する外部機器の数を異ならせてもよい。
【０１０２】
また、上記第１および第２実施形態では、液晶テレビジョン１０の制御部１１に、ＳＣＡＲＴモードに切り替わった際に、第１ＳＣＡＲＴ端子１７の第１０ピンおよび第２ＳＣＡＲＴ端子１８の第１０ピンにそれぞれ接続されている外部機器を判別させる例を示したが、本発明はこれに限らず、ＳＣＡＲＴ端子に接続された外部機器の電源が投入された際に、液晶テレビジョンの制御部に外部機器に電源が投入されたことを認識させ、その後、制御部に外部機器を判別させるように構成してもよい。この際、ＳＣＡＲＴ端子の第８ピンによって、液晶テレビジョンの制御部に、ＳＣＡＲＴ端子およびＳＣＡＲＴケーブルに接続されている外部機器の電源が投入されたことを認識させることが可能である。また、液晶テレビジョンの電源が投入された際に、液晶テレビジョンの制御部にＳＣＡＲＴ端子に接続された外部機器を判別させるように構成してもよい。
【０１０３】
また、上記第１および第２実施形態では、テレビジョン放送信号が、制御部１１によって出力が停止されるまで、第１ＳＣＡＲＴ端子１７の第１９ピンおよび第２ＳＣＡＲＴ端子１８の第１９ピンから出力され続ける例を示したが、本発明はこれに限らず、テレビジョン放送信号が、ユーザによるリモートコントローラの操作に応じてＳＣＡＲＴケーブルを介して接続されている外部機器にとって必要になった場合にのみ、液晶テレビジョンに設けられているすべてのＳＣＡＲＴ端子から出力されるように構成してもよい。
【符号の説明】
【０１０４】
１  映像表示システム
１０  液晶テレビジョン（映像表示装置、テレビジョン装置）
１１  制御部
１２  記憶部
１４  テレビジョン放送受信部
１７  第１ＳＣＡＲＴ端子（ＳＣＡＲＴ端子）
１８  第２ＳＣＡＲＴ端子（ＳＣＡＲＴ端子）
２０、１２０  プラズマテレビジョン（外部機器）
３０、１３０  ＳＴＢ（外部機器）
１６０  ブルーレイディスクプレーヤ（外部機器）
１７０  ＤＶＤプレーヤ（外部機器）
【図１】
2010258939.tif 000003
【図２】
2010258939.tif 000004
【図３】
2010258939.tif 000005
【図４】
2010258939.tif 000006
【図５】
2010258939.tif 000007
【図６】
2010258939.tif 000008
【図７】
2010258939.tif 000009
【図８】
2010258939.tif 000010
【図９】
2010258939.tif 000011
【図１０】
2010258939.tif 000012
【図１１】
2010258939.tif 000013